(57)【要約】【課題】一々寸法等を計測することなく壁面に対して見栄え良く並設することができる上、連結金具の管理等も容易な電子機器を提供する。【解決手段】壁面に固定する設置板１１の前面に位置決め突起２３、２３・・を左右方向に複数備え、長手方向での両端部に位置決め突起２３を挿通可能な位置決め孔部５３を有する帯状の連結金具５２を用い、一端側の位置決め孔部５４へ自身の位置決め突起２３を挿通させる一方、他端側の位置決め孔部５４へ自身の左側に設置されている通話ユニット３（若しくは選局ユニット５）の設置板１１に設けられた位置決め突起２３を挿通させることにより、左側に設置されている通話ユニット３（若しくは選局ユニット５）に対する自身の設置位置を位置決めすることにより、一々寸法等を計測することなく、通話ユニット３や選局ユニット５を見栄え良く左右方向へ並設することができるようにした。【選択図】図６
2014165753.tif 000002
【特許請求の範囲】
【請求項１】
電子基板を内蔵した本体ケースの後面に、前記本体ケースを壁面に設置するための設置部材が着脱自在に備えられており、壁面に固定した前記設置部材に前記本体ケースを取り付けることにより、前記本体ケースを壁面に設置可能とした電子機器であって、
前記設置部材の前面に、位置決め突起が左右方向に複数設けられており、長手方向での両端部に前記位置決め突起が挿通可能な位置決め孔が設けられた帯状の金属板を用い、一端側の前記位置決め孔へ自身の前記位置決め突起を挿通させる一方、他端側の前記位置決め孔へ自身の左右何れか側方に設置されている電子機器の設置部材に設けられた位置決め突起を挿通させることにより、前記自身の左右何れか側方に設置されている電子機器に対する自身の設置位置を位置決めすることができるとともに、
前記本体ケースの後面に、前記金属板の端部をネジ止め可能な連結部が設けられており、前記金属板を介して他の電子機器と直接連結することも可能となっていることを特徴とする電子機器。
【請求項２】
前記本体ケースの後面に、前記金属板を収納状態で保管する保管用凹部が設けられていることを特徴とする請求項１に記載の電子機器。
【請求項３】
前記本体ケースの前記連結部に隣接する位置に、前記本体ケースから配線を引き出し可能な開口が設けられており、前記連結部へ前記金属板の端部をネジ止めすると、前記金属板により前記開口が覆われるようになっていることを特徴とする請求項１又は２に記載の電子機器。
【発明の詳細な説明】
【技術分野】
【０００１】
本発明は、たとえばナースコールシステムを構成するナースコール親機において、左右に並設して使用する通話ユニットや選局ユニット等といった電子機器に関するものである。
【背景技術】
【０００２】
従来、たとえばナースコールシステムを構成するナースコール親機では、所謂通話ユニットや選局ユニットといった異なる種類の電子機器を左右に並設することがある（特許文献１）。そして、電子機器を並設してナースコール親機を構成するに際し、該ナースコール親機を卓上で使用する場合には連結金具を利用して電子機器同士を連結していた。一方、ナースコール親機を壁面に設置して使用する場合には、見栄えが良くなるように予め寸法等を計測して各電子機器の設置位置を決定した後、各設置位置に対応する電子機器をそれぞれ設置していた。
【先行技術文献】
【特許文献】
【０００３】
【特許文献１】特開２００８−７９８００号公報
【発明の概要】
【発明が解決しようとする課題】
【０００４】
しかしながら、従来の電子機器は、壁面に設置する場合、上述したように一々寸法等を計測しなければならないため、設置作業が非常に煩雑になる。また、たとえ寸法等を計測したとしても、実際に設置してみると一方の電子機器が他方の電子機器に対して傾いている等、見栄えが良くない状況が起こりやすいという問題もある。一方、電子機器同士を連結する場合にも、使用する連結金具を電子機器とは別個に保管する必要がある等、管理や使い勝手の点で問題があった。
【０００５】
そこで、本発明は、上記問題に鑑みなされたものであって、一々寸法等を計測することなく壁面に対して見栄え良く並設することができる上、連結金具の管理等も容易な電子機器を提供しようとするものである。
【課題を解決するための手段】
【０００６】
上記目的を達成するために、本発明のうち請求項１に記載の発明は、電子基板を内蔵した本体ケースの後面に、本体ケースを壁面に設置するための設置部材が着脱自在に備えられており、壁面に固定した設置部材に本体ケースを取り付けることにより、本体ケースを壁面に設置可能とした電子機器であって、設置部材の前面に、位置決め突起が左右方向に複数設けられており、長手方向での両端部に位置決め突起が挿通可能な位置決め孔が設けられた帯状の金属板を用い、一端側の位置決め孔へ自身の位置決め突起を挿通させる一方、他端側の位置決め孔へ自身の左右何れか側方に設置されている電子機器の設置部材に設けられた位置決め突起を挿通させることにより、自身の左右何れか側方に設置されている電子機器に対する自身の設置位置を位置決めすることができるとともに、本体ケースの後面に、金属板の端部をネジ止め可能な連結部が設けられており、金属板を介して他の電子機器と直接連結することも可能となっていることを特徴とする。
請求項１に記載の発明によれば、設置部材の前面に、位置決め突起を左右方向に設けており、長手方向での両端部に位置決め突起が挿通可能な位置決め孔が設けられた帯状の金属板を用い、一端側の位置決め孔へ自身の位置決め突起を挿通させる一方、他端側の位置決め孔へ自身の左右何れか側方に設置されている電子機器の設置部材に設けられた位置決め突起を挿通させることにより、自身の左右何れか側方に設置されている電子機器に対する自身の設置位置を位置決めするようになっている。したがって、一々寸法等を計測することなく、複数の電子機器を見栄え良く左右方向に並設することができ、電気機器の並設作業が容易となるし、実際に設置してみると一方の電子機器が他方の電子機器に対して傾いている等といった見栄えの良くない状況も起こりにくい。
また、本体ケースの後面に、金属板の端部をネジ止め可能な連結部を設け、金属板を介して他の電子機器と直接連結することも可能となっているため、たとえば複数の電子機器を卓上等で使用する際には、上記位置決めに利用する金属板により電気機器同士を直接連結することができる。すなわち、位置決めに使用する部材と、連結に使用する部材とを共有することができ、構成の合理化を図ることができる。
【０００７】
請求項２に記載の発明は、請求項１に記載の発明において、本体ケースの後面に、金属板を収納状態で保管する保管用凹部が設けられていることを特徴とする。
請求項２に記載の発明によれば、本体ケースの後面に、金属板を収納状態で保管する保管用凹部を設けている。したがって、金属板を簡易に且つ確実に保管することができる。
【０００８】
請求項３に記載の発明は、請求項１又は２に記載の発明において、本体ケースの連結部に隣接する位置に、本体ケースから配線を引き出し可能な開口が設けられており、連結部へ金属板の端部をネジ止めすると、金属板により開口が覆われるようになっていることを特徴とする。
請求項３に記載の発明によれば、本体ケースの連結部に隣接する位置に、本体ケースから配線を引き出し可能な開口を設け、連結部へ金属板の端部をネジ止めすると、金属板により開口が覆われるようにしているため、たとえば卓上等での使用中に開口を介して埃等が進入しづらくなる。
【発明の効果】
【０００９】
本発明によれば、一々寸法等を計測することなく、複数の電子機器を見栄え良く左右方向に並設することができ、電気機器の並設作業が容易となるし、実際に設置してみると一方の電子機器が他方の電子機器に対して傾いている等といった見栄えの良くない状況も起こりにくい。
【図面の簡単な説明】
【００１０】
【図１】ナースコールシステムにおけるナースコール親機を前面側から示した説明図である。
【図２】設置板を壁面への設置機構として取り付けた通話ユニットを後方から示した斜視説明図である。
【図３】設置板が取り外された状態にある通話ユニットを後面側から示した斜視説明図である。
【図４】分解状態にある設置板を前面側から示した説明図である。
【図５】選局ユニットを後面側から示した説明図である。
【図６】連結金具を用いた設置板の位置決め作業を示した説明図である。
【図７】通話ユニットの設置板を壁面へネジ止めした状態を示した説明図である。
【図８】連結状態にある通話ユニット及び選局ユニットを後方側から示した斜視説明図である。
【図９】第１角度調整板を用いて傾斜姿勢をとらせた通話ユニットを示した説明図である。
【図１０】第２角度調整板を用いて傾斜姿勢をとらせた通話ユニットを示した説明図である。
【発明を実施するための形態】
【００１１】
以下、本発明の一実施形態となる通話ユニットや選局ユニットについて、図面にもとづき詳細に説明する。
【００１２】
図１は、ナースコールシステムにおけるナースコール親機１を前面側から示した説明図である。
ナースコール親機１は、ナースコールシステムを構成するものであって、各病室のベッドサイドに設置されるナースコール子機（図示せず）等との間で通話するためのハンドセット２を有する通話ユニット３、及び通話するナースコール子機を選局するための複数の選局スイッチ４、４・・を有する選局ユニット５、５等からなる。
【００１３】
ここで、本発明の要部となる通話ユニット３や選局ユニット５の壁面への設置構造、及び通話ユニット３や選局ユニット５の連結構造に関し、まず通話ユニット３について図２〜図４をもとに説明する。図２は、設置板１１を壁面への設置機構として取り付けた通話ユニット３を後方から示した斜視説明図である。図３は、設置板１１が取り外された状態にある通話ユニット３を後面側から示した斜視説明図である。図４は、分解状態にある設置板１１を前面側から示した説明図である。
通話ユニット３は、種々の電子基板（図示せず）等を内蔵した略角箱状の本体ケース６の前面に、ハンドセット２や液晶画面７、スピーカ８、各種ボタン９、９・・等を備えてなるものであって、該本体ケース６の後面に、選局ユニット５との連結構造となる上側連結部１０及び下側連結部４３に加え、壁面への設置構造となる設置板１１や収容凹部１２等が設けられている。上側連結部１０は、選局ユニット５と連結するにあたり後述する連結兼用金具５２（図５に示す）をネジ止めするための連結孔１３を有する平面状部であって、本体ケース６の後面における左上部（後方側から見て）に設けられている。また、下側連結部４３は、選局ユニット５と連結するにあたり連結専用金具５６（図５に示す）をネジ止めするための連結孔４４を有する平面状部であって、本体ケース６の後面における左下部（後方側から見て）に設けられている。
【００１４】
設置板１１は、本体板１５と、第１角度調整板１６と、第２角度調整板１７との３つの合成樹脂製板状部材を組み立ててなる。本体板１５は、略矩形に形成されており、中央稍上部と中央稍下部とには、設置板１１を壁面へネジ止めするための５つの固定孔１８、１８・・が穿設されている。そして、本体板１５の前面側における各固定孔１８の開口縁に沿って、後方へ凹んだ段部１８ａが形成されており、設置板１１を壁面へネジ止めした際にネジ頭を段部１８ａ内に収容可能としている。また、下側の固定孔１８、１８・・の更に下方には、第１角度調整板１６を本体板１５に当接させた傾倒姿勢で掛止するための第１掛止孔１９が穿設されている。さらに、本体板１５の前面下端部には、通話ユニット３を壁面へ設置するにあたり設置板１１の設置位置を位置決めするための上下２つの突起を有する位置決め突起部２３、２３・・が設けられている。該位置決め突起部２３、２３・・は、電子機器の隣設方向となる左右方向に並ぶ２つの位置決め突起部２３、２３で一組となっており、本体板１５の左右両下部に夫々一組ずつ設けられている。加えて、本体板１５の左右両側面の下端部には、本体板１５を本体ケース６の後面へ回動及び着脱自在に取り付けるための本体軸２４、２４が左右夫々外方へ突設されている。また、各本体軸２４の左右夫々内方に隣接して切り欠き２５が設けられており、本体軸２４に弾性を付与し、特に左右方向への撓みを許容している。
【００１５】
一方、本体板１５の上側の固定孔１８、１８・・の下方には、第２角度調整板１７を本体板１５に当接させた傾倒姿勢で掛止するための第２掛止孔２０が穿設されている。また、本体板１５における上側の固定孔１８、１８・・の更に上方となる上端部には、第２角度調整板１７を本体板１５に対して回動自在に蝶着するための一対の第２蝶着軸２１、２１と、第２角度調整板１７の回動時に第２角度調整板１７の第２軸受け部３３、３３との干渉を避けるためのスリット２２、２２とが設けられている。さらに、本体板１５の上縁に沿っては、第１角度調整板１６を本体板１５に対して回動自在に蝶着するための一対の第１蝶着軸２６、２６が設けられている。加えて、本体板１５の左右両側縁の上端部には、設置板１１を後述の如く角度調整機構として使用する際に、本体ケース６の後面側へ傾倒させた姿勢で保持するための保持爪２７が夫々設けられている。
【００１６】
第１角度調整板１６は、本体板１５よりも小型の矩形に形成されており、その上縁部に沿っては、壁面へネジ止めされた設置板１１へ本体ケース６を取り付ける際に、本体ケース６の支持腕３６が当接する支持部２８が設けられている。また、支持部２８の下方には、本体板１５の第１蝶着軸２６、２６を軸支するための第１軸受け部２９、２９が設けられている。さらに、第１角度調整板１６の下縁部には、第１掛止孔１９へ掛止可能な第１掛止爪３０と、設置板１１を角度調整機構として使用する際に、第１角度調整板１６を本体ケース６に対して第１角度で起立した姿勢で保持するための一対の第１保持部３１、３１とが設けられている。加えて、第１角度調整板１６の略中央部には、第２角度調整板１７を収容可能な収容開口部３２が開設されている。なお、第１角度調整板１６の上下方向長さは、本体板１５の第１蝶着軸２１、２１から位置決め突起部２３、２３・・までの上下方向長さよりは短くなっており、本体板１５へ第１角度調整板１６を取り付けた際に、位置決め突起部２３、２３・・が露出するようになっている。また、支持部２８の左右両端部は、第１角度調整板１６の本体よりも左右方向夫々外側へ突出している。
【００１７】
第２角度調整板１７は、収容開口部３２内へ収容可能な略矩形体であって、上端部には本体板１５の第２蝶着軸２１、２１を軸支するための第２軸受け部３３、３３が設けられている。また、第２角度調整板１７の下縁部には、第２掛止孔２０へ掛止可能な第２掛止爪３４と、設置板１１を角度調整機構として使用する際に、第２角度調整板１７を本体ケース６に対して第２角度で起立した姿勢で保持するための一対の第２保持部３５、３５が設けられている。
【００１８】
そして、上記本体板１５、第１角度調整板１６、及び第２角度調整板１７からなる設置板１１は、本体板１５の前面側において第１蝶着軸２６、２６へ第１角度調整板１６の第１軸受け部２９、２９を、第２蝶着軸２１、２１へ第２角度調整板１７の第２軸受け部３３、３３を夫々軸支させることで組み立て可能となっており、通常は、第１角度調整板１６の第１掛止爪３０を第１掛止孔１９へ、第２角度調整板１７の第２掛止爪３４を第２掛止孔２０へ夫々掛止させ、両角度調整板１６、１７を本体板１５に対して傾倒させた状態となっている。
【００１９】
一方、収容凹部１２は、本体ケース６の後面の略中央部において、本体ケース６の上部から下縁部にかけて前方へ凹むように設けられた凹部であって、左右幅は設置板１１と略同じ、上下長さは設置板１１よりも長く、前後深さは設置板１１と略同じに形成されており、設置板１１を収容凹部１２内へ収容可能となっている。そして、該収容凹部１２内の上端部における左右両隅部には、設置板１１の支持部２８が下方から当接可能な円弧に湾曲した支持腕３６、３６が設けられている。また、各支持腕３６の左右夫々外側には、上方へ向かうにつれ徐々に後方へ突出しており、支持腕３６により支持部２８を支持する際、支持部２８の端部を後方へ押圧する支持段部３７が設けられている。さらに、凹部１２内における支持腕３６や支持段部３７の下方には、設置板１１を角度調整機構として使用する際に、第１角度調整板１６や第２角度調整板１７の各保持部３１、３５を嵌入させるための嵌入凹部３８、３８が設けられている。
【００２０】
また、収容凹部１２の左右両側面の下部には、左右外方へ切り欠かれて設置板１１の本体軸２４、２４を前方へ進入可能としているとともに、進入した本体軸２４、２４を上方へ移動可能とした側面視略Ｌ字状の支持溝３９、３９が設けられている。そして、該支持溝３９、３９の上端部と支持腕３６、３６との上下方向での距離は、設置板１１（特に本体板１５）の上下方向長さと略同じとなっている。また、収容凹部１２の左右両側面の下端部で支持溝３９、３９よりも更に下方となる位置には、設置板１１を角度調整機構として使用する際に、設置板１１の本体軸２４、２４を軸支するための軸孔４０、４０が設けられている。さらに、収容凹部１２の左右両下隅部で軸孔４０、４０に隣接する位置には、軸孔４０、４０内に挿入された本体軸２４、２４を後方側へ押しつけ、回転時等において本体軸２４、２４のがたつきを防止するための支持突起４１、４１が突設されている。そして、本体板１５における本体軸２４、２４から保持爪２７、２７までの上下長さと同じ距離だけ、収容凹部１２の左右両側面において軸孔４０、４０から上方となる位置に、保持爪２７、２７が係止可能な被係止孔４２、４２が設けられている。
【００２１】
次に、選局ユニット５について、図５をもとに説明する。図５は、選局ユニット５を後面側から示した説明図である。尚、通話ユニット３で説明した構成要素と同じ構成要素については同符号を用いる。
選局ユニット５は、種々の電子基板（図示せず）等を内蔵した略角箱状の本体ケース４５の前面に、複数の選局スイッチ４、４・・、及び選局スイッチ４、４・・毎に対応して設けられた患者の名前等を表示するための表示部４６、４６・・やナースコール子機からの呼び出しの有無を点灯／点滅等により報知する報知部４７、４７・・等を備えてなるものであって、本体ケース４５の左右方向での幅は、通話ユニット３の本体ケース６に比べて短くなっている。そして、本体ケース４５の後面に、通話ユニット３や他の選局ユニット５との連結構造となる上側連結部４８、４８及び下側連結部５８に加え、壁面への設置構造となる設置板１１や収容凹部４９等が設けられている。選局ユニット５において上側連結部４８、４８は、本体ケース４５の上部に左右で一対設けられており、通話ユニット３の上側連結部１０同様、連結兼用金具５２をネジ止めするための連結孔１３を有する平面状部として構成されている。また、各上側連結部４８の左右夫々外側（すなわち、各上側連結部４８よりも本体ケース４５の外寄り）に隣接して、本体ケース４５の内部空間と連通する開口５０が設けられており、該開口５０を介することで、本体ケース４５の内外にわたり信号線や電源ケーブル等を配線可能となっている。一方、下側連結部５８、５８は、本体ケース４５の下部に左右で一対設けられており、通話ユニット３の下側連結部４３同様、連結専用金具５６をネジ止めするための連結孔４４を有する平面状部として構成されている。
【００２２】
また、選局ユニット５の設置板１１は、上記通話ユニット３の設置板１１と同様のものであり、該設置板１１を収容する収容凹部４９も、上記通話ユニット３の収容凹部１２と略同様に構成され、支持腕３６や支持段部３７、嵌入凹部３８、支持溝３９、軸孔４０、支持突起４１、及び被係止孔４２については全て備えている。ただ、選局ユニット５の収容凹部４９内には、上記通話ユニット３の収容凹部１２と異なり、更に前方へ凹んだ保管用凹部５１が設けられており、通話ユニット３と選局ユニット５とを（場合によっては選局ユニット５、５同士を）連結したり、通話ユニット３や選局ユニット５の壁面への設置位置を位置決めしたりするための連結兼用金具５２、及び通話ユニット３と選局ユニット５とを（場合によっては選局ユニット５、５同士を）連結するための連結専用金具５６が保管用凹部５１内にネジ止めされて収納されている。該連結兼用金具５２は、所定方向へ長い帯状の金属板であって、長手方向の両端部に、上記連結時及び位置決め時に利用する２つの位置決め孔からなる位置決め孔部５３が設けられているとともに、位置決め孔部５３から所定距離だけ長手方向中央寄りとなる位置には、上記位置決め時に使用しない位置決め突起部２３との干渉を避けるための逃げ孔部５４が設けられている。また、連結専用金具５６も、連結兼用金具５２同様、所定方向へ長い帯状の金属板であって、長手方向の両端部に夫々ネジ止め孔（図示せず）が設けられている。
【００２３】
上述したような構成を有する通話ユニット３及び選局ユニット５の壁面への設置作業について、図６及び図７をもとに説明する。ここでは、左から通話ユニット３、選局ユニット５、選局ユニット５の順で３つの電子機器を並設する場合について説明する。まず左端に位置することになる通話ユニット３の設置位置を所望の位置に決定し、固定孔１８の前方側から固定用ネジ５５（図７に示す）を壁面側へ螺入させる等して、通話ユニット３の設置板１１を壁面に固定する。次に、通話ユニット３の右隣に隣設する選局ユニット５の設置位置を、図６に示す如く連結兼用金具５２を用いて位置決めする。すなわち、連結兼用金具５２の一端側の位置決め孔部５３に通話ユニット３の設置板１１の右側の組における中央寄りの位置決め突起部２３を挿通させる（このとき、同じ組の外寄りの位置決め突起部２３は、同端の逃げ孔部５４に挿通した状態となる）とともに、連結兼用金具５２の他端側の位置決め孔部５３に選局ユニット５の設置板の左側の組の外寄りの位置決め突起部２３を挿通させることで、通話ユニット３に対する選局ユニット５の設置板１１の固定位置を位置決めし、当該固定位置に固定用ネジ５５を用いて選局ユニット５の設置板１１を固定する。更に、もう１つ並設する選局ユニット５についても、図６に示す如く連結兼用金具５２を用いて位置決めする。すなわち、今度は通話ユニット３に比べて本体ケース４５の左右幅が狭い選局ユニット５の右隣に別の選局ユニット５を設置することになるため、連結兼用金具５２の一端側の位置決めネジ孔部５３に、左側の選局ユニット５の右側の組の中央寄りの位置決め突起部２３を、他端側の位置決め孔部５３に、右側の選局ユニット５の左側の組の中央寄りの位置決め突起部２３を夫々挿通させることで、左側の選局ユニット５に対する右側の選局ユニット５の設置板１１の固定位置を位置決めし、当該固定位置に固定用ネジ５５を用いて設置板１１を固定する。このように、基準となる電子機器や隣設する電子機器の種類の違い（具体的には左右幅の違い）により、位置決め間隔が異なる状況であったとしても、同じ連結兼用金具５２及び設置板１１を利用して位置決めを行う。
【００２４】
そして、壁面へ固定されている設置板１１、１１・・に対し、順次対応する通話ユニット３若しくは選局ユニット５を取り付けていけばよい。すなわち、通話ユニット３若しくは選局ユニット５の本体ケース６、４５の後面を設置板１１にあてがい、切り欠きを介して本体軸２４、２４を支持溝３９、３９内へ進入させることで、設置板１１を収容凹部１２、４９内へ収容させた後、本体軸２４、２４が支持溝３９、３９の上端に位置するとともに支持部２８が支持腕３６に当接するまで、通話ユニット３若しくは選局ユニット５を下方へスライドさせる（相対的には、収容凹部１２、４９内において設置板１１が上方へスライドすることになる）ことにより、通話ユニット３若しくは選局ユニット５は設置板１１に取り付けられ、前面側から見ると通話ユニット３及び選局ユニット５、５が左右方向へ一列に見栄え良く並設されることになり、通話ユニット３及び選局ユニット５、５の壁面への設置は完了となる。
【００２５】
なお、上記設置状態においては、設置板１１の後面と本体ケース６、４５の後面とは略面一となっている。また、支持部２８が支持腕３６と支持段部３７とにより前後方向から挟持されているとともに、本体軸２４、２４が支持溝３９、３９内にあるため、通話ユニット３や選局ユニット５は前後方向へがたついたりしない。さらに、本体軸２４、２４が支持溝３９、３９内にあり、設置板１１が収容凹部１２、４９内に収容されている状態において、設置板１１の保持爪２７、２７は常に被係止孔４２、４２の上方にあり、収容凹部１２、４９内で設置板１１を相対的にスライドさせて通話ユニット３若しくは選局ユニット５を着脱する際に、保持爪２７、２７が被係止孔４２、４２に干渉したりすることはない。加えて、設置板１１から取り外す際には、取り外したい通話ユニット３若しくは選局ユニット５を、本体軸２４、２４が支持溝３９、３９の下端に位置するまで上方へスライドさせた後、前方へ引き出せばよい。
【００２６】
一方、通話ユニット３や選局ユニット５を卓上に設置して使用する場合もあり、この場合に通話ユニット３と選局ユニット５とを（場合によっては選局ユニット５、５同士を）連結することがある。そこで、通話ユニット３と選局ユニット５とを連結したり、選局ユニット５、５同士を連結する際には、図８に示す如く、選局ユニット５から連結兼用金具５２及び連結専用金具５６を取り外し、連結兼用金具５２の両端部の位置決め孔部５３、５３を、並設する通話ユニット３と選局ユニット５との上側連結部１０、４８（若しくは上側連結部４８、４８同士）に夫々ネジ止めするとともに、連結専用金具５６の両端部のネジ止め孔を、並設する通話ユニット３と選局ユニット５との下側連結部４３、５８（若しくは下側連結部５８、５８同士）に夫々ネジ止めすればよい。このとき使用するネジは、保管用凹部５２での保管に利用していたネジを使用する。また、連結兼用金具５２による連結に伴い、選局ユニット５では開口５０が連結兼用金具５２で覆われることになり、開口５０を介して埃等が進入しづらくなる。
【００２７】
また、卓上で通話ユニット３や選局ユニット５を連結して使用する場合、卓上に対して通話ユニット３や選局ユニット５を所定の角度だけ傾斜させて載置した方が使い勝手が良いこともある。その際、上記通話ユニット３や選局ユニット５では、設置板１１を角度調整機構として利用することで卓上に対して傾斜姿勢を取ることができる。すなわち、設置板１１の本体軸２４、２４を軸孔４０、４０に軸支させるとともに、第１掛止爪３０の第１掛止孔１９への掛止を解除して第１角度調整板１６を本体板１５に対して起立させ、第１保持部３１、３１を嵌入凹部３８、３８へ嵌入させる。すると、通話ユニット３や選局ユニット５を、図９に示す如き傾斜姿勢で卓上に載置することができる。一方、傾斜角度を緩やかにしたい際には、第１角度調整板１６ではなく、第２掛止爪３４の第２掛止孔２０への掛止を解除して第２角度調整板１７を本体板１５に対して起立させ、第２保持部３５、３５を嵌入凹部３８、３８へ嵌入させればよい。すると、通話ユニット３や選局ユニット５を、図１０に示す如き傾斜姿勢で卓上に載置することができる。
【００２８】
以上のような構成を有する通話ユニット３や選局ユニット５によれば、壁面に固定する設置板１１の前面に位置決め突起部２３、２３・・を左右方向に複数備えており、長手方向での両端部に位置決め突起部２３を挿通可能な位置決め孔部５３を有する帯状の連結兼用金具５２を用い、図６に示す如く、一端側の位置決め孔部５３へ自身の位置決め突起部２３を挿通させる一方、他端側の位置決め孔部５３へ自身の左側に設置されている通話ユニット３（若しくは選局ユニット５）の設置板１１に設けられた位置決め突起部２３を挿通させることにより、左側に設置されている通話ユニット３（若しくは選局ユニット５）に対する自身の設置位置を位置決めすることにより、一々寸法等を計測することなく、通話ユニット３や選局ユニット５を見栄え良く左右方向へ並設することができる。したがって、通話ユニット３や選局ユニット５の並設作業が容易となるし、実際に設置してみると一方の電子機器が他方の電子機器に対して傾いている等といった見栄えの良くない状況も起こりにくい。また、連結兼用金具５２の各位置決め孔部５３へ挿通させる位置決め突起部２３を、左右方向へ複数備えられた位置決め突起部２３、２３・・の中から選択的に決定することで、通話ユニット３の隣に選局ユニット５を隣設する場合や、選局ユニット５の隣に選局ユニット５を隣設する場合といったように位置決めの間隔が異なる状況であっても、同じ連結兼用金具５２及び設置板１１を利用して位置決めすることができ、汎用性に富む。
【００２９】
また、通話ユニット３や選局ユニット５を卓上等で使用する際には、上記位置決めに利用する金具を用いて通話ユニット３と選局ユニット５とを（場合によっては選局ユニット５、５同士を）連結することができる。すなわち、位置決めに使用する部材と、連結に使用する部材とを共有することができ、構成の合理化を図ることができる。
さらに、選局ユニット５の後面に保管用凹部５１が設けられており、連結兼用金具５２を収納状態で保管可能としている。したがって、連結兼用金具５２を簡易に且つ確実に保管することができる。
加えて、選局ユニット５では、本体ケース４５の内外にわたり信号線や電源ケーブル等を配線するための開口５０を各上側連結部４８の左右夫々外側に隣接して設けており、連結兼用金具５２による連結に伴い、選局ユニット５では開口５０が連結兼用金具５２で覆うようにしているため、開口５０を介して埃等が進入しづらくなる。
【００３０】
なお、本発明に係る電子機器は、上記実施形態の態様に何ら限定されるものではなく、電子機器の全体的な構成は勿論、連結金具や設置板等の構成について、本発明の趣旨を逸脱しない範囲で、必要に応じて適宜変更することができる。
【００３１】
たとえば、上記実施形態では、壁面へ通話ユニット３や選局ユニット５を並設するに際し、左端の通話ユニット３から順に設置するとしているが、中央の選局ユニット５をまず設置した後、連結兼用金具５２を用いて位置決めしながら左端の通話ユニット３や右端の選局ユニット５を設置してもよく、電子機器の設置順は適宜変更可能である。
また、選局ユニット５をどれだけ並設するかも適宜変更可能であるし、通話ユニット３の右側ではなく、左側に選局ユニット５を並設することも当然可能である。またさらに、通話ユニット３や選局ユニット５以外の電子機器を並設することを想定し、左右方向へより多くの位置決め突起を設けてもよい。
【００３２】
さらに、上記実施形態では、設置板１１を卓上で使用する際の角度調整機構としても使用可能としているが、壁面への設置用に特化し、たとえば一枚板として構成することも可能である。さらにまた、設置板１１と本体ケース６、４５との着脱に係る構成についても、上記スライドにより着脱する構成に限定されることはなく、ネジ止め等であっても何ら問題はない。
加えて、ナースコールシステムにおけるナースコール親機を構成する通話ユニット３や選局ユニット５について説明してきたが、上記実施形態の設置機構や角度調整機構に係る構成は、たとえばナースコール子機として使用する電子機器や、インターホンシステムにおいて使用する電子機器等といった他の電子機器にも好適に採用することができる。
【符号の説明】
【００３３】
１・・ナースコール親機、３・・通話ユニット（電子機器）、５・・選局ユニット（電子機器）、６、４５・・本体ケース、１０、４８・・上側連結部、１１・・設置板（設置部材）、１２、４９・・収容凹部、１３・・ネジ孔、２３・・位置決め突起部（位置決め突起）、２４・・本体軸、２８・・支持部、３６・・支持腕、３７・・支持段部、３９・・支持溝、５０・・開口、５１・・保管用凹部、５２・・連結兼用金具（金属板）、５３・・位置決め孔部（位置決め孔）。
【図１】
2014165753.tif 000003
【図２】
2014165753.tif 000004
【図３】
2014165753.tif 000005
【図４】
2014165753.tif 000006
【図５】
2014165753.tif 000007
【図６】
2014165753.tif 000008
【図７】
2014165753.tif 000009
【図８】
2014165753.tif 000010
【図９】
2014165753.tif 000011
【図１０】
2014165753.tif 000012